(57)【要約】【課題】段板の見た目を簡単に綺麗にできるようにする。段板の上面と前端面を覆っても、化粧シートの浮きを抑える。【解決手段】階段の化粧段板１０が、段板１１と、段板１１の上面１１ｂを被覆した化粧シート１２と、段板１１の段鼻１１ａ及びその段鼻１１ａから立ち下がった段板１１の前端面１１ｃを被覆するカバー部材１３と、を備えることを特徴とする化粧段板である【選択図】図１
2016017353.tif 000002
【特許請求の範囲】
【請求項１】
階段の化粧段板において、
段板と、
前記段板の上面を被覆した化粧シートと、
前記段板の段鼻及びその段鼻から立ち下がった前記段板の前端面を被覆するとともに、前記段板の上面の前部を被覆するカバー部材と、を備える
ことを特徴とする化粧段板。
【請求項２】
前記化粧シートはその前端が前記段板の前記段鼻から前にはみ出ないようにして前記段板の上面に貼着されている
ことを特徴とする請求項１に記載の化粧段板。
【請求項３】
前記カバー部材が、前記化粧シートの上から前記段板の上面の前部を被覆する
ことを特徴とする請求項１又は２に記載の化粧段板。
【請求項４】
前記化粧シートの前端が前記段板の前記段鼻の後側に位置し、
前記カバー部材が、前記段板の上面のうち前記化粧シートの前端と前記段鼻の間の領域を被覆する
請求項１又は２に記載の化粧段板。
【請求項５】
前記カバー部材が前記段板の下面の前部を更に被覆する
ことを特徴とする請求項１又は２に記載の化粧段板。
【請求項６】
段板と、
前記段板から立ち下がった蹴込み板と、
前記段板の上面を被覆した化粧シートと、
前記段板の段鼻及びその段鼻から立ち下がった前記段板の前端面を被覆するとともに、前記段板の上面の前部を被覆するカバー部材と、を備える
ことを特徴とする化粧階段。
【請求項７】
前記化粧シートはその前端が前記段板の前記段鼻から前にはみ出ないようにして前記段板の上面に貼着されている
ことを特徴とする請求項６に記載の化粧階段。
【請求項８】
既設段板のリフォーム方法において、
既設段板の上面を化粧シートによって被覆し、
前記既設段板の段鼻及びその段鼻から立ち下がった前記既設段板の前端面をカバー部材によって被覆する
ことを特徴とする既設段板のリフォーム方法。
【発明の詳細な説明】
【技術分野】
【０００１】
本発明は、化粧段板及び化粧階段並びに既設段板のリフォーム方法に関する。
【背景技術】
【０００２】
階段を構造的に分類すると、ささら桁階段と側桁階段がある。ささら桁階段は、段板をその下側からささら桁によって支承するものである。側桁階段は、段板の両側を側桁の切り込みに差し込んで、段板を側桁によって支えるものである。ささら桁階段と側桁階段の何れも、一旦組み立てて設置すると、段板を取り外すことが難しい。特に、段板の取り外しは、側桁階段の方がささら桁階段よりも困難である。段板の取り外しが難しいと、階段のリフォームが困難である。
特許文献１には、階段のリフォーム方法が開示されている。リフォーム後の階段は次のように構成されている。遮音シート（１６）が段板（１１）の上面に貼着され、合板（１７）がその遮音シート（１６）の上に積層されて、その合板（１７）が段板（１１）の段鼻から前方にはみ出ている。合板（１７）上には段板化粧材（１９）が設けられており、この段板化粧材（１９）が合板（１７）の上面のうち前部以外を覆う。合板（１７）の上面の前部がカバー（２０）によって覆われ、そのカバー（２０）が合板（１７）の上面の前端から下に折り曲げられ、そのカバー（２０）が合板（１７）の前端面も覆っている。
【先行技術文献】
【特許文献】
【０００３】
【特許文献１】特願２００７−２９１７７２号公報
【発明の概要】
【発明が解決しようとする課題】
【０００４】
ところで、いわゆるクッションフロアと呼ばれる化粧シートによって段板の表面を被覆して、段板をリフォームすることが望まれる。その化粧シートはクッション性及び可撓性を有するとともに、３ｍｍ程度の厚みを持つ。そのため、段板の上面を化粧シートによって覆った上で、その化粧シートを段板の段鼻において下に折り曲げて、更に段板の前端面を化粧シートによって覆うと、化粧シートの折り曲げ部が段板の表面から離れて浮いてしまう。
そこで、本発明が解決しようとする課題は、段板の見た目を簡単に綺麗にできるようにすることである。また、本発明が解決しようとする別の課題は、段板の上面と前端面を覆っても、化粧シートの浮きを抑えることである。
【課題を解決するための手段】
【０００５】
上記課題を解決するための請求項１に係る発明は、例えば図１、図２又は図８に示すように、階段１，１０１，４０の化粧段板１０，１１０，５８において、段板１１，１１１，５２と、前記段板１１，１１１，５２の上面を被覆した化粧シートと、前記段板１１，１１１，５２の段鼻１１ａ，１１１ａ，５２ａ及びその段鼻１１ａ，１１１ａ，５２ａから立ち下がった前記段板１１，１１１，５２の前端面１１ｃ，１１１ｃ，５２ｃを被覆するとともに、前記段板１１，１１１，５２の上面１１ｂ，１１１ｂ，５２ｂの前部を被覆するカバー部材１３，１１３，９８と、を備えることを特徴とする化粧段板１０，１１０，５８である。
【０００６】
請求項６に係る発明は、段板と、前記段板１１，１１１，５２から立ち下がった蹴込み板と、前記段板１１，１１１，５２の上面を被覆した化粧シートと、前記段板１１，１１１，５２の段鼻１１ａ，１１１ａ，５２ａ及びその段鼻１１ａ，１１１ａ，５２ａから立ち下がった前記段板１１，１１１，５２の前端面１１ｃ，１１１ｃ，５２ｃを被覆するとともに、前記段板１１，１１１，５２の上面１１ｂ，１１１ｂ，５２ｂの前部を被覆するカバー部材１３，１１３，９８と、を備えることを特徴とする化粧階段である。
【０００７】
請求項８に係る発明は、既設段板１１，１１１，５２のリフォーム方法において、既設段板１１，１１１，５２の上面１１ｂ，１１１ｂ，５２ｂを化粧シート１２，１１２，９２によって被覆し、前記既設段板１１，１１１，５２の段鼻１１ａ，１１１ａ，５２ａ及びその段鼻１１ａ，１１１ａ，５２ａから立ち下がった前記既設段板１１，１１１，５２の前端面１１ｃ，１１１ｃ，５２ｃをカバー部材１３，１１３，９８によって被覆することを特徴とする既設段板のリフォーム方法である。
【０００８】
請求項１，６，８に係る発明によれば、段板１１，１１１，５２の上面１１ｂ，１１１ｂ，５２ｂが化粧シート１２，１１２，９２によって被覆されているが、その段板１１，１１１，５２の前端面１１ｃ，１１１ｃ，５２ｃがその化粧シート１２，１１２，９２によって覆われていない。つまり、化粧シート１２，１１２，９２が段板１１，１１１，５２の段鼻１１ａ，１１１ａ，５２ａにおいて曲げられているわけではないので、化粧シート１２，１１２，９２の浮きを抑えることができる。
段板１１，１１１，５２の前端面１１ｃ，１１１ｃ，５２ｃがカバー部材１３，１１３，９８によって被覆されているため、段板１１，１１１，５２の前端面１１ｃ，１１１ｃ，５２ｃをカバー部材１３，１１３，９８によって保護し、又は装飾することができる。
既設段板１１，１１１，５２を簡単に取り外せない場合でも、既設段板１１，１１１，５２の上面１１ｂ，１１１ｂ，５２ｂを化粧シート１２，１１２，９２によって被覆することによって、既設段板１１，１１１，５２の見た目を綺麗にすることができる。
【０００９】
請求項２に係る発明は、前記化粧シート１２，１１２，９２はその前端が前記段板１１，１１１，５２の前記段鼻１１ａ，１１１ａ，５２ａから前にはみ出ないようにして前記段板１１，１１１，５２の上面１１ｂ，１１１ｂ，５２ｂに貼着されていることを特徴とする請求項１に記載の化粧段板である。
【００１０】
請求項７に係る発明は、前記化粧シート１２，１１２，９２はその前端が前記段板１１，１１１，５２の前記段鼻１１ａ，１１１ａ，５２ａから前にはみ出ないようにして前記段板１１，１１１，５２の上面１１ｂ，１１１ｂ，５２ｂに貼着されていることを特徴とする請求項６に記載の化粧階段である。
【００１１】
請求項２，７に係る発明によれば、化粧シート１２，１１２，９２が段板１１，１１１，５２の段鼻１１ａ，１１１ａ，５２ａから前にはみ出ていないので、化粧シート１２，１１２，９２が段板１１，１１１，５２の上面１１ｂ，１１１ｂ，５２ｂから剥離しやすい状態でなくなる。
【００１２】
請求項３に係る発明は、前記カバー部材１３，１１３，９８が、前記化粧シート１２，１１２，９２の上から前記段板１１，１１１，５２の上面１１ｂ，１１１ｂ，５２ｂの前部を被覆することを特徴とする請求項１又は２に記載の化粧段板である。
【００１３】
請求項３に係る発明によれば、カバー部材１３，１１３，９８が化粧シート１２，１１２，９２の上から段板１１，１１１，５２の上面１１ｂ，１１１ｂ，５２ｂの前部を被覆するので、化粧シート１２，１１２，９２の前端を剥離の始点とした化粧シート１２，１１２，９２の剥離を防止することができる。
【００１４】
請求項４に係る発明は、例えば図２に示すように、前記化粧シート１２の前端が前記段板１１の前記段鼻１１ａの後側に位置し、前記カバー部材１３が、前記段板１１の上面１１ｂのうち前記化粧シート１２の前端と前記段鼻１１ａの間の領域を被覆する請求項１又は２に記載の化粧段板である。
【００１５】
請求項４に係る発明によれば、化粧シート１２によって覆われていない部分をカバー部材１３によって被覆することができる。
【００１６】
請求項５に係る発明は、例えば図４に示すように、前記カバー部材１１３が前記段板１１１の下面１１１ｅの前部を更に被覆することを特徴とする請求項１又は２に記載の化粧段板１１０である。
【００１７】
請求項５に係る発明によれば、段板１１１の下面１１１ｅの前部がカバー部材１１３によって被覆されているため、段板１１１の下面１１１ｅの前部をカバー部材１１３によって保護し、又は装飾することができる。
【発明の効果】
【００１８】
本発明によれば、化粧シートの浮きを抑えることができるとともに、段板の前端面をカバー部材によって保護し、又は装飾することができる。また、段板の見た目を化粧シートによって綺麗にすることができる。
【図面の簡単な説明】
【００１９】
【図１】化粧階段の断面図である。
【図２】化粧階段の断面図である。
【図３】化粧階段の断面図である。
【図４】化粧階段の断面図である。
【図５】既設化粧階段の側面図である。
【図６】既設化粧階段の上面図である。
【図７】既設化粧階段の第一直階段ユニットの斜視図である。
【図８】第一直階段ユニットの断面図である。
【図９】既設化粧階段の第一直階段ユニットの斜視図である。
【発明を実施するための形態】
【００２０】
以下に、本発明を実施するための形態について図面を用いて説明する。但し、以下に述べる実施形態には、本発明を実施するために技術的に好ましい種々の限定が付されている。そのため、本発明の技術的範囲を以下の実施形態及び図示例に限定するものではない。
【００２１】
〔第１の実施の形態〕
図１は、化粧階段１の所定の段及びそれの上下の段を示した縦断面図である。
この化粧階段１の構造的な仕様は特に限定するものではない。例えば、化粧階段１はささら桁階段、力桁階段、側桁階段、箱階段又はユニット階段等である。
化粧階段１の昇降の仕様も特に限定するものではない。つまり、化粧階段１は直階段、折り返し階段、かね折れ階段、カーブ階段又は螺旋階段等である。
【００２２】
この化粧階段１は複数の化粧段板１０、複数の化粧蹴込み板２０及び組合せ巾木３０を備える。化粧段板１０は段板１１、化粧シート１２及びカバー部材１３を有する。化粧蹴込み板２０は蹴込み板２１及び化粧材２２を有する。組合せ巾木３０は複数の巾木３１及び複数の巾木３２を有する。
【００２３】
段板１１が水平になった状態で固定されている。段板１１が固定される部材はささら桁、力桁、側桁又は構造材（例えば、柱、梁、壁、壁パネル）等である。これら段板１１が階段状に配列されている。つまり、これら段板１１は、隣同士の上面１１ｂの間に鉛直方向に沿って踏み上げ寸法（鉛直方向の段差）を置いて配置され、隣同士の段鼻１１ａの間に水平方向に沿って踏み面寸法（水平方向のずれ）を置いて配置されている。なお、本明細書を通して、段鼻１１ａとは段板１１の上面１１ｂの前端をいう。
【００２４】
段板１１の奥側の部位と上段の段板１１の手前側の部位とが上下にオーバーラップしており、段板１１の奥側の部位と上段の段板１１の手前側の部位との間には蹴込みスペースが形成されている。
【００２５】
蹴込み板２１は、上下に隣り合う段板１１の間において立てられた状態で固定されている。蹴込み板２１が固定される部材もささら桁、力桁、側桁又は構造材（例えば、建物の柱、梁、壁、壁パネル）等である。
蹴込み板２１の上端部がその上の段板１１の手前側の部位に接合され、蹴込み板２１の下端部がその下の段板１１の奥側の部位に接合されている。具体的には、蹴込み板２１の上端部が上の段板１１の段鼻１１ａ側の前端面１１ｃに貼着され、蹴込み板２１の下端部が下の段板１１の奥側の端面１１ｄに貼着されている。従って、段板１１の奥側の端から上の蹴込み板２１が立ち上がり、その段板１１の手前側の端から下の蹴込み板２１が立ち下がる。
【００２６】
これら段板１１及び蹴込み板２１は左右の側壁４０（側桁又はささら桁が側壁を構成する場合もある）の間に掛け渡されている。側壁４０には組合せ巾木３０が設けられている。組合せ巾木３０の第一巾木３１及び第二巾木３２は台形型の板状の部材であり、より具体的には直角台形に近似した板である。
【００２７】
第二巾木３２の四辺のうち上底３２ａが下底３２ｂよりも短く、一方の脚３２ｃが他方の脚３２ｄよりも短い。第二巾木３２は蹴込み板２１の前において側壁４０に貼着されている。第二巾木３２の向きについては、上底３２ａが蹴込み板２１側に配置され、下底３２ｂが蹴込み板２１の反対側に配置され、短い脚３２ｃが段板１１側に配置され、長い脚３２ｄが段板１１の反対側に配置される。そして、上底３２ａが蹴込み板２１の前面２１ａに沿って上下に延在し、短い脚３２ｃが段板１１の上面１１ｂに沿って前後に延在する。
【００２８】
第一巾木３１の四辺のうち上底３１ａが下底３１ｂよりも短く、一方の脚３１ｃが他方の脚３１ｄよりも短い。第一巾木３１は段板１１の上において側壁４０に貼着されている。第一巾木３１の向きについては、下底３１ｂが段板１１側に配置され、上底３２ａが段板１１の反対側に配置され、短い脚３１ｃが蹴込み板２１側に配置され、長い脚３１ｄが蹴込み板２１の反対側に配置される。そして、下底３１ｂが段板１１の上面に沿って前後に延在する。また、第一巾木３１の長い脚３１ｄがその前の第二巾木３２の長い脚３２ｄに全体的に接し、第一巾木３１の短い脚３１ｃがその後の第二巾木３２の下底３１ｂに接する。
【００２９】
段板１１の上面１１ｂには化粧シート１２が接着剤等によって貼着されている。また、蹴込み板２１の前面２１ａには化粧材２２が接着剤等によって貼着されている。
【００３０】
化粧シート１２は弾力性・クッション性のある弾性シート（例えば、クッションフロア）である。そして、化粧シート１２はある程度の厚み（例えば１．０〜４．０ｍｍ）を有する。化粧シート１２がクッション性を有するので、化粧シート１２が静音性・遮音性も有する。なお、ビニル床シート、ビニル床タイル、置敷ビニル床タイル、タイルカーペットなど様々なタイプのシート材を化粧シート１２に用いることができる。
化粧材２２は化粧合板である。なお、弾力性・クッション性のある化粧シートを化粧材２２として用いてもよい。
【００３１】
化粧材２２はその下側の段板１１の上面１１ｂから蹴込み板２１の上端まで及ぶように蹴込み板２１の前面２１ａを被覆する。更に、化粧材２２は片側の第二巾木３２からもう片側の第二巾木３２まで及ぶように蹴込み板２１の前面２１ａを被覆する。
【００３２】
化粧シート１２は段板１１の段鼻１１ａから奥側の化粧材２２の表面まで及ぶように段板１１の上面１１ｂを被覆する。従って、化粧シート１２の前端が段鼻１１ａから前にはみ出ていない。
また、化粧シート１２は片側の巾木３１，３２からもう片側の巾木３１，３２まで及ぶように段板１１の上面１１ｂを被覆する。
【００３３】
化粧シート１２はそれよりも奥側の化粧材２２から分離されているとともに、それよりも下側の化粧材２２から分離されている。つまり、化粧シート１２と化粧材２２は繋がって連続しているわけではない。
【００３４】
なお、化粧材２２を省略してもよい。この場合、蹴込み板２１が化粧合板であり、化粧シート１２の奥側の縁が蹴込み板２１の前面に接することが好ましい。
【００３５】
段板１１の段鼻１１ａはカバー部材１３によって覆われている。このカバー部材１３は段板１１の前端面１１ｃも被覆するとともに、化粧シート１２の手前側の縁も被覆する。そして、このカバー部材１３は、化粧シート１２の手前側の縁を奥側へ乗り越えて化粧シート１２の手前側の部位を被覆する。
【００３６】
ここで、カバー部材１３は横から投影視してＬ字型に形作られている。つまり、カバー部材１３は上面被覆部１３ａ及び端面被覆部１３ｂを有し、端面被覆部１３ｂが上面被覆部１３ａの前端から下へ延出し、上面被覆部１３ａが端面被覆部１３ｂの上端から奥側へ延出する。段板１１の段鼻１１ａが上面被覆部１３ａと端面被覆部１３ｂの間の劣角部に合わせられ、上面被覆部１３ａが化粧シート１２の上から段板１１の上面１１ｂを被覆し、端面被覆部１３ｂが段板１１の前端面１１ｃを被覆する。ここで、上面被覆部１３ａと化粧シート１２は粘着剤（例えば、接着剤、両面粘着テープ）等によって接合され、端面被覆部１３ｂと段板１１の前端面１１ｃも粘着剤（例えば、接着剤、両面粘着テープ）等によって接合される。なお、図２に示すように、化粧シート１２の前縁が段板１１の段鼻１１ａよりも後側に位置し、上面被覆部１３ａが段板１１の上面１１ｂのうち化粧シート１２の前縁よりも前側の領域に貼着され、上面被覆部１３ａの後端が化粧シート１２の前縁に接してもよい。
【００３７】
カバー部材１３の端面被覆部１３ｂの下縁が化粧材２２の上縁に接しており、化粧材２２が端面被覆部１３ｂによって覆われていない上、端面被覆部１３ｂが化粧材２２によって覆われていない。なお、図３に示すように、端面被覆部１３ｂが化粧材２２の上端を下へ乗り越えて、端面被覆部１３ｂが化粧材２２の上部をその前から被覆してもよい。
【００３８】
カバー部材１３はすべり止め（ノンスリップ）としても機能する。ここで、上面被覆部１３ａ及び端面被覆部１３ｂが合成ゴム又は合成樹脂等からなり、上面被覆部１３ａの表面が凸凹に設けられている。例えば、上面被覆部１３ａの表面には、横方向に延びる複数の溝が形成されている。
また、カバー部材１３は、化粧シート１２の前端と化粧材２２の上端の隙間を覆う見切り材としても機能する。
【００３９】
化粧階段１の製造方法について説明する。化粧階段１の製造方法は既設階段から化粧階段１を製造する方法である。つまり、化粧階段１の製造方法は既設階段のリフォーム方法である。
【００４０】
既設階段は複数の段板１１及び複数の蹴込み板２１からなる。つまり、図１に示す化粧シート１２、化粧材２２、カバー部材１３及び組合せ巾木３０が設置されていない状態の階段が既設階段である。従って、段板１１が既設段板であり、蹴込み板２１が既設蹴込み板である。
【００４１】
まず、複数の化粧シート１２、複数の化粧材２２、複数のカバー部材１３及び複数の巾木３１，３２を準備する。
次に、複数の巾木３１，３２を左右の側壁に貼着する。この際、第一巾木３１を段板１１の上に配置するとともに、第一巾木３１の上底３１ａを段板１１の上面に沿わせ、上底３１ａと脚３１ｃの間の角を段鼻１１ａに合わせる。また、第二巾木３２を蹴込み板２１の前に配置するとともに、第二巾木３２の上底３２ａを蹴込み板２１の前面２１ａに沿わせ、上底３２ａと脚３２ｃの間の角を段鼻１１ａに合わせる。
【００４２】
次に、蹴込み板２１の前面２１ａに化粧材２２を貼着して、蹴込み板２１の前面２１ａを化粧材２２によって覆う。この際、化粧材２２の端を切断したり、化粧材２２の位置合わせを行ったりすることによって、化粧材２２の上端を蹴込み板２１の上端に揃え、化粧材２２の下端を段板１１の上面１１ｂに揃える。
【００４３】
次に、段板１１の上面１１ｂに化粧シート１２を貼着して、段板１１の上面１１ｂを化粧シート１２によって覆う。この際、化粧シート１２の端を切断したり、化粧シート１１２の位置あわせを行ったりすることによって、化粧シート１２の前端を段板１１の段鼻１１ａに揃えるとともに、化粧シート１２の後端を化粧材２２の表面に揃える。
【００４４】
次に、化粧シート１２の前端と化粧材２２の上端の間の隙間をカバー部材１３によって隠す。つまり、カバー部材１３の上面被覆部１３ａを化粧シート１２の上に当接させるとともに、端面被覆部１３ｂを段板１１の前端面１１ｃに当接させ、上面被覆部１３ａと端面被覆部１３ｂの間の劣角部を段板１１の段鼻１１ａに合わせる。そして、上面被覆部１３ａを化粧シート１２に接着剤等によって接合し、端面被覆部１３ｂを段板１１の前端面１１ｃに接着剤等によって接合する。
【００４５】
本発明が適用された化粧階段１は次のような効果をもたらす。
（１）  段板１１の上面１１ｂに貼着された化粧シート１２は蹴込み板２１の前面２１ａに貼着された化粧材２２から分断されている。そして、化粧シート１２が曲げられずに段板１１の上面１１ｂを被覆し、段板１１の上面１１ｂ以外の面が化粧シート１２によって覆われていない。よって、化粧シート１２が厚くても、化粧シート１２の浮きを防止することができる。
【００４６】
（２）  化粧シート１２及び化粧材２２が切り離されているから、化粧シート１２及び化粧材２２の間には隙間が形成される。カバー部材１３はそのような隙間の見切り材として機能する。つまり、カバー部材１３が化粧シート１２の前端から化粧材２２の上端までの間の隙間を覆っているので、その隙間を隠すことができる。特に、段板１１の前端面１１ｃがカバー部材１３によって覆われているので、段板１１の前端面１１ｃをカバー部材１３によって保護し、又は装飾することができる。
【００４７】
（３）  化粧階段１を昇降する人は足下を見る傾向にあるので、その人にとっては段板１１の前端面１１ｃは目に付きにくい部分である。よって、段板１１の前端面１１ｃが化粧シート１２及び化粧材２２によって覆われていなくても、そのことが化粧階段１のデザイン性に悪影響を及ばさない。
【００４８】
（４）  カバー部材１３が化粧シート１２の前端を後に乗り越えて化粧シート１２の前部を被覆するので、化粧シート１２の前端から後に向かって化粧シート１２が段板１１の上面１１ｂから剥離することを防止することができる。
【００４９】
（５）  段板１１の上面１１ｂに化粧シート１２を貼着するだけで、段板１１の見た目を綺麗にすることができる。また、蹴込み板２１の前面２１ａに化粧材２２を貼着するだけで、蹴込み板２１の見た目を綺麗にすることができる。
【００５０】
〔第２の実施の形態〕
図４は、化粧階段１０１の所定の段及びそれの上下の段を示した縦断面図である。
図４に示す化粧階段１０１と図１に示す化粧階段１の相違する点について主に説明する。また、以下の説明を除いて、図４に示す化粧階段１０１と図１に示す化粧階段１との間で互いに対応する部分は一致する。
【００５１】
化粧段板１１０の段板１１１が水平になった状態で固定され、これら段板１１１が踏み上げ寸法（鉛直方向の段差）及び踏み面寸法（水平方向のずれ）を置いて階段状に配列されている。蹴込み板１２１は上下に隣り合う段板１１の間において立てられた状態で固定され、蹴込み板１２１が段板１１１に対して垂直に設けられている。ここで、段板１１１の下面には、横方向に延びた溝１１１ｆが形成されている。溝１１１ｆが段板１１１の下面の前縁よりも後側に位置しており、溝１１１ｆは一つ下の段板１１１の後端面と前後方向の位置が揃っている。そして、蹴込み板１２１の上端が溝１１１ｆに差し込まれた状態で段板１１１に固定され、蹴込み板１２１の下端部が下の段板１１１の奥側の端面１１１ｄに貼着されて固定されている。従って、段板１１１の段鼻１１１ａが蹴込み板１２１よりも前に突き出ている。
【００５２】
組合せ巾木１３０の第一巾木１３１が直角台形に形作られている。組合せ巾木１３０の第二巾木１３２が、直角台形の上底１３２ａにノッチ１３２ｅが形成された形状に形作られている。第一巾木１３１の長い脚１３１ｄが第二巾木１３２の長い脚１３２ｄに接触し、一組の第一巾木１３１及び第二巾木１３２がＬ字型に組まれている。これら巾木１３１，１３２が左右の側壁に貼着され、第一巾木１３１が段板１１１の上に配置され、第二巾木１３２が蹴込み板１２１の前に配置されている。そして、第一巾木１３１の上底１３１ａが段板１１１の上面１１１ｂに沿っており、第二巾木１３２の上底１３２ａが蹴込み板１２１の前面に沿っている。また、段板１１１のうち蹴込み板１２１から前に突き出た部位がノッチ１３２ｅに嵌まっている。
【００５３】
化粧材１２２が蹴込み板１２１の前面に接着剤等によって貼着されている。化粧材１２２は下の段板１１１の上面１１１ｂから上の段板１１１の下面１１１ｅまで蹴込み板１２１の前面１２１ａを被覆する。
化粧シート１１２が段板１１１の上面１１１ｂに接着剤等によって貼着されている。化粧シート１１２の前端が段板１１１の段鼻１１１ａから前にはみ出ておらず、その化粧シート１１２が段板１１１の段鼻１１１ａから化粧材１２２の表面まで及ぶように段板１１１の上面１１１ｂを被覆する。
【００５４】
カバー部材１１３は、上面被覆部１１３ａ、端面被覆部１１３ｂ及び下面被覆部１１３ｃを有するとともに、横から投影視してＵ字型（コ字型）に形作られている。端面被覆部１１３ｂが上面被覆部１１３ａの前端から下へ延出し、上面被覆部１１３ａが端面被覆部１１３ｂの上端から奥側へ延出し、下面被覆部１１３ｃが端面被覆部１１３ｂの下端から奥側へ延出する。段板１１１の段鼻１１１ａが上面被覆部１１３ａと端面被覆部１１３ｂの間の劣角部に合わせられ、段板１１１の下面１１１ｅの前端が下面被覆部１１３ｃと端面被覆部１１３ｂの間の劣角部に合わせられている。上面被覆部１１３ａが化粧シート１１２の上から段板１１１の上面１１１ｂを被覆し、端面被覆部１１３ｂが段板１１１の前端面１１１ｃを被覆し、下面被覆部１１３ｃが段板１１１の下面１１１ｅを被覆する。下面被覆部１１３ｃの後端は化粧材１２２に接しているか、化粧材１２２から前に僅かに離れている。
【００５５】
段板１１１の下面１１１ｅの前部がカバー部材１１３によって被覆されているため、段板１１１の下面１１１ｅの前部をカバー部材１１３によって保護し、又は装飾することができる。また、化粧シート１１２と化粧材１２２との間の隙間をカバー部材１３によって覆うことによって、カバー部材１１３が見切り材として機能する。
【００５６】
化粧階段１０１の製造方法（既設階段のリフォーム方法）について説明する。
まず、複数の化粧シート１１２、複数の化粧材１２２、複数のカバー部材１１３及び複数の巾木１３１，１３２を準備する。
次に、複数の巾木１３１，１３２を左右の側壁１３９に貼着する。この際、第一巾木１３１を段板１１１の上に配置するとともに、第一巾木１３１の上底１３１ａを段板１１１の上面に沿わせ、第二巾木１３２を蹴込み板１２１の前に配置するとともに、第二巾木１３２の上底１３２ａを蹴込み板１２１の前面１２１ａに沿わせ、第二巾木１３２のノッチ１３２ｅに段板１１１の前端部を入れる。
【００５７】
次に、蹴込み板１２１の前面に化粧材１２２を貼着して、蹴込み板１２１の前面を化粧材１２２によって覆う。また、段板１１１の上面１１１ｂに化粧シート１１２を貼着して、段板１１１の上面１１１ｂを化粧シート１１２によって覆う。
【００５８】
次に、段板１１１の前端部をカバー部材１１３の上面被覆部１１３ａと下面被覆部１１３ｃとの間に入れて、上面被覆部１１３ａを化粧シート１１２に当接させるとともに、下面被覆部１１３ｃを段板１１１の下面１１１ｅに当接させる。そして、カバー部材１１３を後に押し込み、端面被覆部１１３ｂを段板１１１の前端面１１１ｃに当接させ、上面被覆部１１３ａと端面被覆部１１３ｂの間の劣角部を段板１１１の段鼻１１ａに合わせ、下面被覆部１１３ｃと端面被覆部１１３ｂの間の劣角部を段板１１１の下面１１１ｅの前端に合わせる。そして、上面被覆部１１３ａを化粧材１２２に接着剤等によって接合し、端面被覆部１１３ｂを段板１１１の前端面１１１ｃに接着剤等によって接合し、下面被覆部１１３ｃを段板１１１の下面１１１ｅに接着剤等によって接合する。
【００５９】
〔第３の実施の形態〕
既設化粧階段４０について説明するとともに、既設化粧階段４０から化粧階段を製造する方法（既設化粧階段４０のリフォーム方法）について説明する。
【００６０】
図５は既設化粧階段４０の側面図である。図６は既設化粧階段４０の上面図である。この既設化粧階段４０の昇降の仕様は折り返し階段である。この既設化粧階段４０はセット階段（組立階段）を化粧シート９２、化粧材９３、カバー部材９８及び組合せ巾木９５（図７、図８参照）によって加飾したものである。そのセット階段は第一直階段ユニット５０、廻り階段ユニット６０、踊り場ユニット７０、第二直階段ユニット８０を有する。下から順に第一直階段ユニット５０、廻り階段ユニット６０、踊り場ユニット７０、第二直階段ユニット８０の順でこれらユニット５０，６０，７０，８０が組み付けられることによって、セット階段が組み立てられる。
【００６１】
第一直階段ユニット５０はささら桁階段である。つまり、第一直階段ユニット５０は、側板をなす左右のささら桁５１（図５では片方のみ図示）と、これらささら桁５１の間において段階的に設けられた段板５２と、これら段板５２の段板５２の下方に設けられた蹴込み板５３とを備えている。ささら桁５１の上端部には、直上に配置される廻り階段ユニット６０を支持するための載置部５４が形成されている。
【００６２】
廻り階段ユニット６０は、一角を中心に扇状に広がるように段階的に設けられた段板６２と、これら段板６２の下に設けられた蹴込み板６３と、段板６２及び蹴込み板６３を支持する支持台６１とを備えている。支持台６１の上端部には、直上に配置される踊り場ユニット７０を支持するための載置部６４が形成されている。
【００６３】
踊り場ユニット７０は、略正方形状に形成された段板７２と、段板７２の一端部下方に設けられた蹴込み板７３と、段板７２における蹴込み板７３に隣接する一辺に設けられ、直上に配置される第二直階段ユニット８００を支持するための載置部７４とを備えている。
【００６４】
第二直階段ユニット８０は、図５及び図６に示すように、側板をなす左右のささら桁８１（図５では片方のみ図示）と、これらささら桁８１の間において段階的に設けられた段板８２と、これら段板８２の下方に設けられた蹴込み板８３とを備えている。
【００６５】
図７は第一直階段ユニット５０の斜視図である。図８は第一直階段ユニット５０の縦断面図である。
段板５２が水平になった状態でささら桁５１に固定されている。これら段板５２が階段状に配列されている。つまり、これら段板５２は、隣同士の上面５２ｂの間に鉛直方向に沿って踏み上げ寸法（鉛直方向の段差）を置いて配置され、隣同士の段鼻５２ａの間に水平方向に沿って踏み面寸法（水平方向のずれ）を置いて配置されている。
【００６６】
段板５２の奥側の部位と上段の段板５２の手前側の部位とが上下にオーバーラップしており、段板５２の奥側の部位と上段の段板５２の手前側の部位との間には蹴込みスペースが形成されている。
【００６７】
蹴込み板５３の上端部が上の段板５２の前端面１１ｃに貼着され、蹴込み板５３の下端部が下の段板５２の奥側の端面５２ｄに貼着されている。従って、段板５２の奥側の端から上の蹴込み板５３が立ち上がり、その段板５２の手前側の端から下の蹴込み板５３が立ち下がる。
【００６８】
段板５２の上面５２ｂには化粧シート９２が接着剤等によって貼着されている。また、蹴込み板５３の前面５３ａには化粧材９３が接着剤等によって貼着されている。化粧シート９２は弾力性・クッション性のある弾性シートであり、化粧材９３は化粧合板である。
【００６９】
化粧材９３は蹴込み板５３の前面５３ａ全体に貼着されている。つまり、化粧材９３がその下側の段板５２の上面５２ｂから蹴込み板５３の上端まで及び、化粧材９３の下縁が段板５２の上面５２ｂに接し、化粧材９３の上縁が蹴込み板５３の上端に揃っている。また、化粧材９３の左縁が蹴込み板５３の左端に揃い、化粧材９３の右縁が蹴込み板５３の右端に揃う。
【００７０】
化粧シート９２の奥行きは段板５２の上面５２ｂの奥行きよりも化粧材９３の厚みだけ短い。つまり、化粧シート９２が段板５２の段鼻５２ａから奥側の化粧材９３の表面まで及び、化粧シート９２の前縁が段板５２の前端に揃い、化粧シート９２の後縁が化粧材９３の表面に接する。また、化粧シート９２の左縁が段板５２の左端に揃い、化粧シート９２の右縁が段板５２の右端に揃う。
【００７１】
組合せ巾木９５は複数の第一巾木９６及び複数の第二巾木９７を有する。
巾木９６，９７が台形板状に形作られている。第二巾木９７が蹴込み板５３の前に配置され、第二巾木９７が左右の側壁に貼着されている。ここで、第二巾木９７の一辺（上底と下底のうち短い方）が化粧材９３の表面に接し、第二巾木９７の他の一辺（二つの脚のうち短い方）が化粧シート９２の表面に接する。
第一巾木９６が段板５２の上に配置され、第一巾木９６が左右の側壁に貼着されている。ここで、第一巾木９６の一辺（上底と下底のうち短い方）が化粧シート９２の表面に接し、第一巾木９６の他の一辺（二つの脚のうち短い方）が後側の第二巾木９７の一辺（上底と下底のうち長い方）に接し、第一巾木９６の他の一辺（二つの脚のうち長い方）が前側の第二巾木９７の一辺（二つの脚のうち長い方）に接する。一つの第一巾木９６と一つの第二巾木９７が組み合わせられることによってＬ字が形作られ、その内側の角部が段板５２の段鼻５２ａに合わせられている。
【００７２】
カバー部材９８が左右の巾木９６，９７の間に配置されており、そのカバー部材９８によって段板５２の段鼻５２ａが覆われている。カバー部材９８は粘着剤（例えば、接着剤、両面粘着テープ）等によって段板５２及び化粧シート９２に接合されている。
【００７３】
なお、化粧材９３を省略してもよい。この場合、蹴込み板５３が化粧合板であり、化粧シート９２の奥側の縁が蹴込み板５３の前面に接し、第二巾木９７の一辺（上底と下底のうち短い方）が蹴込み板５３の前面５３ａに接することが好ましい。
【００７４】
カバー部材９８は横から投影視してＬ字型に形作られている。つまり、カバー部材９８は上面被覆部９８ａ及び端面被覆部９８ｂを有し、端面被覆部９８ｂが上面被覆部９８ａの前端から下へ延出し、上面被覆部９８ａが端面被覆部９８ｂの上端から奥側へ延出する。段板５２の段鼻５２ａが上面被覆部９８ａと端面被覆部９８ｂによって挟まれる劣角部に合わせられ、上面被覆部９８ａが化粧シート９２の前部を被覆し、端面被覆部９８ｂが段板５２の前端面５２ｃを被覆する。
【００７５】
ここで、段板５２に化粧シート９２及びカバー部材９８を取り付けたものが化粧段板５８である。また、蹴込み板５３に化粧材９３を取り付けたものが化粧蹴込み板５９である。
【００７６】
第一直階段ユニット５０と同様に、廻り階段ユニット６０、踊り場ユニット７０及び第二直階段ユニット８０も化粧シート９２、化粧材９３、カバー部材９８及び組合せ巾木９５によって加飾されている。
【００７７】
続いて、既設化粧階段４０及び化粧段板５８のリフォーム方法について説明する。
図７に示すように、新たな化粧シート９９を準備する。化粧シート９９の奥行きは化粧シート９２の奥行きに等しい。化粧シート９９の左右幅は、化粧シート９２の左右幅から巾木９６，９７の厚さの２倍を減じて得られた値に等しい。
【００７８】
次に、カバー部材９８を剥離する。
次に、化粧シート９２の左右両側を巾木９６，９７の内側の面に沿って切断する。
次に、化粧シート９２のうち巾木９６，９７の間の部分を剥離する。そのため、化粧シート９２のうち巾木９６，９７の下側の部分が残留する。
次に、段板５２の上面５２ｂに化粧シート９９を接着剤等によって貼着する。ここで、化粧シート９９の奥側の縁を化粧材９３の表面に当接させ、化粧シート９９の手前側の縁を段板５２の段鼻５２ａに揃え、化粧シート９９の左右の縁を化粧シート９２の残留物に当接させる。
次に、カバー部材９８の上面被覆部９８ａと端面被覆部９８ｂの間の劣角部を段板５２の段鼻５２ａに合わせ、カバー部材９８の上面被覆部９８ａを化粧シート９２の前部に接着剤等によって接合し、カバー部材９８の端面被覆部９８ｂを段板５２の前端面５２ｃに接着剤等によって接合する。
第一直階段ユニット５０が一旦組み立てられて設置されると、段板５２及び蹴込み板５２をささら桁５１から簡単に取り外すことができない。そうであっても、この化粧シート９２を化粧シート９９に貼り替えるだけで、第一直階段ユニット５０を簡単にリフォームすることができる。
【００７９】
廻り階段ユニット６０、踊り場ユニット７０及び第二直階段ユニット８０の化粧段板についても同様にリフォームする。
【００８０】
〔第３の実施の形態の変形例〕
図９に示す化粧シート９２の左右幅が図７に示す化粧シート９２の左右幅よりも短い。つまり、図９に示す化粧シート９２の左右幅は、段板５２の上面５２ｂ（図８参照）の左右幅から巾木９６，９７の厚さの２倍を減じて得られた値に等しい。つまり、図９に示す化粧シート９２は化粧シート９９と同サイズである。
【００８１】
この化粧シート９２は左右の巾木９６，９７の間に配置された状態で段板５２の上面５２ｂに貼着されている。また、第一巾木９６の一辺（上底と下底のうち短い方）が段板５２の上面５２ｂに接し、第二巾木９７の一辺（二つの脚のうち短い方）が段板５２の上面５２ｂに接する。そして、化粧シート９２が左の巾木９６，９７から右の巾木９６，９７まで及んでおり、化粧シート９２の左の縁が左の巾木９６，９７の内側の面に接し、化粧シート９２の右側の縁が右の巾木９６，９７の内側の面に接する。
【００８２】
この化粧シート９２を化粧シート９９に張り替える際には、化粧シート９２の左右両側を切断しなくても済む。これは、化粧シート９２の左右両側の部分が巾木９６，９７と段板５２との間に挟まれていないためである。
この化粧シート９２を化粧シート９９に張り替える方法は、化粧シート９２の左右両側を切断しないことを除いて、上述した場合と同様である。
【符号の説明】
【００８３】
１，１０１，４０  化粧階段
１０，１１０，５８  化粧段板
１１，１１１，５２  段板
１２，１１２，９２  化粧シート
２１，１２１，５３  蹴込み板
２２，１２２，９３  化粧材
１３，１１３，９８  カバー部材
【図１】
2016017353.tif 000003
【図２】
2016017353.tif 000004
【図３】
2016017353.tif 000005
【図４】
2016017353.tif 000006
【図５】
2016017353.tif 000007
【図６】
2016017353.tif 000008
【図７】
2016017353.tif 000009
【図８】
2016017353.tif 000010
【図９】
2016017353.tif 000011